(57)【要約】【目的】受信感度の低下を抑えつつ低価格で且つノイズを抑制した受信を行うことが可能な受信装置、かかる受信装置が形成されている半導体装置、及び受信方法を提供することを目的とする。【構成】複数のアンテナで受信して得られた複数の受信信号に基づいて情報データを取得する受信装置を、前段部の受信処理を担う第１受信処理部と、後段部の受信処理を担う第２受信処理部とに分割する。この際、第１受信処理部は、複数の受信信号の各々に復調処理を施して夫々を合成して得られた信号を復号することにより受信情報データを復元し、この受信情報データに対して変調処理を施して得た受信情報変調信号を伝送ケーブルを介して第２受信処理部に送信する。第２受信処理部は、かかる伝送ケーブルを介して受信した受信情報変調信号に復調処理を施すことにより受信情報データを復元し、これを復号することにより情報データを得る【選択図】図２
2014131167.tif 000002
【特許請求の範囲】
【請求項１】
符号化情報データを担う放送波を複数のアンテナで受信して得られた複数の受信信号に基づいて情報データを取得する受信装置であって、
前記複数の受信信号の各々に復調処理を施して夫々を合成して得られた信号を復号することにより受信情報データを得る復調復号手段、及び前記受信情報データに対して所定変調を施して得た受信情報変調信号を伝送ケーブルに送出する第１送信手段を含む第１受信処理部と、
前記伝送ケーブルを介して受信した前記受信情報変調信号に対して前記所定変調に対応した復調処理を施すことにより前記受信情報データを得る第１受信手段、及び当該受信情報データを復号することにより前記情報データを得るデータデコーダを含む第２受信処理部と、を有することを特徴とする受信装置。
【請求項２】
前記第２受信処理部は、前記第１受信処理部を動作させる為の直流の電源電圧を生成しこれを前記伝送ケーブルに印加する電源電圧生成供給手段を更に含み、
前記第１受信処理部は、前記伝送ケーブルから前記電源電圧を導出する電源電圧導出手段を更に含むことを特徴とする請求項１記載の受信装置。
【請求項３】
前記第２受信処理部は、受信する放送局を指定する選局情報を含む操作データに対して前記所定変調を施して得た操作データ変調信号を前記伝送ケーブルを介して前記第１受信処理部へ送信する第２送信手段を更に含み、
前記第１受信処理部は、前記伝送ケーブルを介して受信した前記操作データ変調信号に対して前記所定変調に対応した復調処理を施すことにより前記操作データを復元する第２受信手段を更に含むことを特徴とする請求項１又は２記載の受信装置。
【請求項４】
前記所定変調は、前記放送波に施されている変調と同一の変調であることを特徴とする請求項１〜３のいずれか１に記載の受信装置。
【請求項５】
前記第２受信処理部は、前記受信情報データに基づいて前記伝送ケーブルによる回線品質を判定する回線品質判定手段と、前記回線品質が良好であることを示す場合には前記受信情報変調信号の振幅を低下させる振幅制御データを生成する振幅制御データ生成手段と、を更に含み、
前記第２送信手段は、前記振幅制御データと前記操作データとを多重化した多重化データに前記所定変調を施して得た操作データ変調信号を前記伝送ケーブルを介して前記第１受信処理部へ送信し、
前記第１受信処理部は、前記伝送ケーブルを介して受信した前記操作データ変調信号に対して前記所定変調に対応した復調処理を施して得られたデータから前記操作データ及び前記振幅制御データを分離して取り出す分離手段と、を更に含み、
前記第１送信手段は、前記振幅制御データに応じて前記受信情報変調信号の振幅を低下させることを特徴とする請求項３記載の受信装置。
【請求項６】
前記回線品質は、前記第２受信処理部において受信した前記受信情報データに生じているビット誤り率及び変調精度で表されることを特徴とする請求項５記載の受信装置。
【請求項７】
前記第１受信処理部は、前記伝送ケーブルを介して受信した前記操作データ変調信号に基づいて同期信号を検出する同期検出手段を含み、
前記第１送信手段は、前記同期信号のタイミングで前記受信情報データに対して前記所定変調を施すことを特徴とする請求項３記載の受信装置。
【請求項８】
前記所定変調はＯＦＤＭ変調であり、
前記同期検出手段は、受信した前記操作データ変調信号中のガードインターバル期間に同期した信号を前記同期信号として得ることを特徴とする請求項７記載の受信装置。
【請求項９】
前記所定変調はＯＦＤＭ変調であり、
前記第２受信処理部は、前記受信情報データに基づいて各サブキャリア毎に回線品質を判定する回線品質判定手段と、前記回線品質が最も低いサブキャリアをマスク対象として示すサブキャリアマスク情報、及び前記回線品質が良好なサブキャリアの振幅を低下させる振幅低下サブキャリア情報を含むサブキャリア制御データを生成するサブキャリア制御データ生成手段と、を更に含み、
前記第２送信手段は、前記サブキャリア制御データと前記操作データとを多重化した多重化データに前記所定変調を施して得た操作データ変調信号を前記伝送ケーブルを介して前記第１受信処理部へ送信し、
前記第１受信処理部は、前記伝送ケーブルを介して受信した前記操作データ変調信号に対して前記所定変調に対応した復調処理を施して得られたデータから前記操作データ及び前記サブキャリア制御データを分離して取り出す分離手段と、を更に含み、
前記第１送信手段は、前記サブキャリア制御データに含まれる前記サブキャリアマスク情報にて示されるサブキャリアに対応した、前記受信情報データの帯域のレベルを０レベルに調整すると共に、前記サブキャリア制御データに含まれる前記振幅低下サブキャリア情報にて示されるサブキャリアに対応した、前記受信情報変調信号の帯域の振幅を低下することを特徴とする請求項３記載の受信装置。
【請求項１０】
前記第１受信処理部は、受信した前記操作データ変調信号の周波数と基準周波数との周波数差を示す周波数誤差信号を生成する周波数制御手段を更に含み、
前記第１送信手段は、前記受信情報変調信号に対して前記周波数誤差信号に応じた周波数補正を施すことを特徴とする請求項３記載の受信装置。
【請求項１１】
符号化情報データを担う放送波を複数のアンテナで受信して得られた複数の受信信号に基づいて情報データを取得する受信装置が形成されている半導体装置であって、
前記複数の受信信号の各々に復調処理を施して夫々を合成して得られた信号を復号することにより受信情報データを得る復調復号回路、及び前記受信情報データに対して所定変調を施して得た受信情報変調信号を伝送ケーブルに送出する第１送信回路が形成されている第１半導体チップと、
前記伝送ケーブルを介して受信した前記受信情報変調信号に対して前記所定変調に対応した復調処理を施すことにより前記受信情報データを得る第１受信回路、及び前記受信情報データを復号することにより前記情報データを得るデータデコーダを含む第２半導体チップと、を有することを特徴とする半導体装置。
【請求項１２】
前記第２半導体チップは、前記第１受信処理部を動作させる為の直流の電源電圧を生成しこれを前記伝送ケーブルに印加する電源電圧生成供給回路を更に含み、
前記第１半導体チップは、前記伝送ケーブルから前記電源電圧を導出する電源電圧導出回路を更に含むことを特徴とする請求項１１記載の半導体装置。
【請求項１３】
前記第２半導体チップは、受信する放送局を指定する選局情報を含む操作データに対して前記所定変調を施して得た操作データ変調信号を前記伝送ケーブルに送出する第２送信回路を更に含み、
前記第１半導体チップは、前記伝送ケーブルを介して受信した前記操作データ変調信号に対して前記所定変調に対応した復調処理を施すことにより前記操作データを復元する第２受信回路を更に含むことを特徴とする請求項１１又は１２記載の半導体装置。
【請求項１４】
符号化情報データを担う放送波を複数のアンテナで受信して得られた複数の受信信号に基づいて情報データを取得する受信方法であって、
前記複数の受信信号の各々に復調処理を施して夫々を合成して得られた信号を復号することにより受信情報データを得て、当該受信情報データに対して所定変調を施して得た受信情報変調信号を伝送ケーブルに送出し、
前記伝送ケーブルを介して受信した前記受信情報変調信号に対して前記所定変調に対応した復調処理を施すことにより前記受信情報データを得て、当該受信情報データを復号することにより前記情報データを得ることを特徴とする受信方法。
【請求項１５】
直流の電源電圧を前記伝送ケーブルに印加し、前記伝送ケーブルから前記電源電圧を取得することを特徴とする請求項１４記載の受信方法。
【発明の詳細な説明】
【技術分野】
【０００１】
本発明は、複数のアンテナで放送波を受信する受信装置、かかる受信装置が形成されている半導体装置、及び受信方法に関する。
【背景技術】
【０００２】
複数のアンテナで放送波を受信する、例えば車載用のダイバーシティ受信装置は、車両の屋根又はリアガラスに設置した複数のアンテナと、車室内のセンターコンソールに設置した受信装置筐体と、各アンテナ及び受信装置筐体間を接続する複数のアンテナケーブルとから構成される。従って、車載用のダイバーシティ受信装置では、高周波伝送用であり且つケーブル長が長い複数のアンテナケーブルが必要となることから、高コスト化するという問題があった。
【０００３】
そこで、受信装置での受信処理を前段部と後段部とに分割し、前段部をアンテナ近傍に設置し、後段部を車室内のセンターコンソールに設置するようにした受信システムが提案された（例えば、特許文献１参照）。かかる受信システムの前段部では、各アンテナで放送波を受信して得られた高周波信号に対して周波数変換及び復調処理を施すことにより、アンテナ毎に復調信号を得て、これらをディジタル多重化して後段部に送信する。一方、後段部では、多重化して送信されてきた多重化ディジタル信号に対して分離処理を施すことにより、各アンテナ毎の復調信号を夫々得るようにしている。
【０００４】
ところで、このような受信システムでは、車両の屋根又はリアガラスから車室内のセンターコンソールまでの比較的長い伝送路をディジタル信号が流れる。よって、かかる伝送路から漏れるディジタル信号特有の高周波ノイズが前段部に回り込んで混入する場合があり、受信感度の低下を招くという問題があった。
【先行技術文献】
【特許文献】
【０００５】
【特許文献１】特開２０１２−７４９０５号公報
【発明の概要】
【発明が解決しようとする課題】
【０００６】
本願発明は、上記の如き問題を解決すべく為されたものであり、受信感度の低下を抑えつつ低価格で且つノイズを抑制した受信を行うことが可能な受信装置、かかる受信装置が形成されている半導体装置、及び受信方法を提供することを目的とする。 
【課題を解決するための手段】
【０００７】
本発明に係る受信装置は、符号化情報データを担う放送波を複数のアンテナで受信して得られた複数の受信信号に基づいて情報データを取得する受信装置であって、前記複数の受信信号の各々に復調処理を施して夫々を合成して得られた信号を復号することにより受信情報データを得る復調復号手段、及び前記受信情報データに対して所定変調を施して得た受信情報変調信号を伝送ケーブルに送出する第１送信手段を含む第１受信処理部と、前記伝送ケーブルを介して受信した前記受信情報変調信号に対して前記所定変調に対応した復調処理を施すことにより前記受信情報データを得る第１受信手段、及び当該受信情報データを復号することにより前記情報データを得るデータデコーダを含む第２受信処理部と、を有する。
【０００８】
また、本発明に係る半導体装置は、符号化情報データを担う放送波を複数のアンテナで受信して得られた複数の受信信号に基づいて情報データを取得する受信装置が形成されている半導体装置であって、前記複数の受信信号の各々に復調処理を施して夫々を合成して得られた信号を復号することにより受信情報データを得る復調復号回路、及び前記受信情報データに対して所定変調を施して得た受信情報変調信号を伝送ケーブルに送出する第１送信回路が形成されている第１半導体チップと、前記伝送ケーブルを介して受信した前記受信情報変調信号に対して前記所定変調に対応した復調処理を施すことにより前記受信情報データを得る第１受信回路、及び前記受信情報データを復号することにより前記情報データを得るデータデコーダを含む第２半導体チップと、を有する。
【０００９】
また、本発明に係る受信方法は、符号化情報データを担う放送波を複数のアンテナで受信して得られた複数の受信信号に基づいて情報データを取得する受信方法であって、前記複数の受信信号の各々に復調処理を施して夫々を合成して得られた信号を復号することにより受信情報データを得て、当該受信情報データに対して所定変調を施して得た受信情報変調信号を伝送ケーブルに送出し、前記伝送ケーブルを介して受信した前記受信情報変調信号に対して前記所定変調に対応した復調処理を施すことにより前記受信情報データを得て、当該受信情報データを復号することにより前記情報データを得る。
【発明の効果】
【００１０】
本発明に係る受信装置においては、複数のアンテナで受信して得られた複数の受信信号に基づいて情報データを取得する受信装置を、前段部の受信処理を担う第１受信処理部と、後段部の受信処理を担う第２受信処理部とに分割する。この際、第１受信処理部は、複数の受信信号の各々に復調処理を施して夫々を合成して得られた信号を復号することにより受信情報データを復元し、この受信情報データに対して変調処理を施して得た受信情報変調信号を伝送ケーブルを介して第２受信処理部に送信する。第２受信処理部は、かかる伝送ケーブルを介して受信した受信情報変調信号に復調処理を施すことにより受信情報データを復元し、これを復号することにより情報データを得るようにしている。
【００１１】
かかる構成によれば、アンテナと第１受信処理部との間を接続する高周波伝送用のケーブルの長さを短くすることが可能となるので、コスト低減が図られるようになる。更に、第１受信処理部は、複数の受信信号に基づく２値の信号系列からなる矩形波の受信情報データに対して変調処理を施したものを第２受信処理部に送信するようにしている。これにより、第１受信処理部において復元された受信情報データを直接、伝送ケーブルを介して第２受信処理部に送信する場合に比して、伝送ケーブルから放出される放射ノイズの強度が抑制されるようになる。よって、この放射ノイズが第１受信処理部に混入することに起因する受信感度の低下を抑えることが可能となる。
【図面の簡単な説明】
【００１２】
【図１】本発明に係る受信装置を含む車載用ダイバーシティ受信システムを示すブロック図である。
【図２】第１受信処理部２の第１の実施例による内部構成を示すブロック図である。
【図３】第２受信処理部４の第１の実施例による内部構成を示すブロック図である。
【図４】第１受信処理部２の第２の実施例による内部構成を示すブロック図である。
【図５】第２受信処理部４の第２の実施例による内部構成を示すブロック図である。
【図６】第１受信処理部２の第３の実施例による内部構成を示すブロック図である。
【図７】第２受信処理部４の第３の実施例による内部構成を示すブロック図である。
【図８】図６に示される第１受信処理部２の同期検出動作の他の一例を説明する為のタイムチャートである。
【図９】第１受信処理部２の第４の実施例による内部構成を示すブロック図である。
【図１０】第２受信処理部４の第４の実施例による内部構成を示すブロック図である。
【図１１】図９に示される第１受信処理部２の動作を説明する為の図である。
【図１２】第１受信処理部２の第４の実施例による内部構成を示すブロック図である。
【発明を実施するための形態】
【００１３】
図１は、本発明に係る受信装置を含む車載用ダイバーシティ受信システムを示すブロック図である。
【００１４】
図１は、本発明に係る受信装置を含む車載用ダイバーシティ受信システムを示すブロック図である。
【００１５】
図１に示す車載用ダイバーシティ受信システムは、車両の例えばリアウインドウ（又はフロントウィンドウ）に設置されたｎ個（ｎは２以上の整数）のアンテナ１１〜１ｎと、アンテナ１１〜１ｎの近傍に設置されており第１受信処理部２が形成されている第１半導体チップと、伝送ケーブル３と、第２受信処理部４が形成されている第２半導体チップとからなる。尚、この車載用ダイバーシティ受信システムは、例えば「Ｈ.２６４／ＭＰＥＧ−４  ＡＶＣ」又は「ＭＰＥＧ−２」等の動画圧縮規格に従ってＭＰＥＧ（Moving Picture Experts Group）データ化された映像及び音声データにＯＦＤＭ（Orthogonal Frequency Division Multiplexing）変調が施された放送波を受信するものである。
【００１６】
図２は、第１受信処理部２の内部構成の一例を示すブロック図である。
【００１７】
図２において、アンテナ１１〜１ｎは夫々個別に放送波を受信して得られた高周波信号Ｒ１〜Ｒｎを、夫々個別の高周波伝送用ケーブルを介して第１受信処理部２の高周波信号処理部２１に供給する。
【００１８】
高周波信号処理部２１は、ローノイズアンプ２１０１〜２１０ｎ及びＲＦ回路２１１１〜２１１ｎを含む。ローノイズアンプ２１０１〜２１０ｎは、高周波信号Ｒ１〜Ｒｎの各々を個別に増幅して得られた高周波信号ＲＡ１〜ＲＡｎをＲＦ回路２１１１〜２１１ｎに供給する。ＲＦ回路２１１１〜２１１ｎは、高周波信号ＲＡ１〜ＲＡｎの各々を、操作データＯＤ（後述する）にて示される選局情報が示す放送局の周波数帯域にダウンコンバートして得られた中間周波帯域の受信信号ＩＦ１〜ＩＦｎを復調・復号処理部２２に供給する。
【００１９】
復調・復号処理部２２は、Ａ／Ｄ変換器２２０１〜２２０ｎ及び復調・復号回路２２１を含む。Ａ／Ｄ変換器２２０１〜２２０ｎは、受信信号ＩＦ１〜ＩＦｎ各々のレベルを夫々ディジタル値の受信データ信号ＩＦＤ１〜ＩＦＤｎに変換し、これらを復調・復号回路２２１に供給する。復調・復号回路２２１は、先ず、受信データ信号ＩＦＤ１〜ＩＦＤｎを合成、つまり受信データ信号ＩＦＤ１〜ＩＦＤｎを重み付け加算（又は減算）することにより合成受信データ信号を得る。次に、復調・復号回路２２１は、この合成受信データ信号に対して放送波の変調方式に対応した復調処理を施すことにより復調データを得る。そして、復調・復号回路２２１は、かかる復調データに対して復号処理を施すことにより、例えば「Ｈ.２６４／ＭＰＥＧ−４  ＡＶＣ」又は「ＭＰＥＧ−２」等の動画圧縮符号化技術に従ったＭＰＥＧデータ形式の受信情報データＲＸＤを得てこれを誤り訂正符号化回路２３に供給する。
【００２０】
誤り訂正符号化回路２３は、受信情報データＲＸＤに対して誤り訂正符号化を施して得られた受信情報データＲＣＤを変調回路２４に供給する。変調回路２４は、受信情報データＲＣＤに対して、例えば放送波の変調と同一のＯＦＤＭ変調、或いはＱＰＳＫ（Quadrature Phase Shift Keying）変調、ＱＡＭ（quadrature amplitude modulation）等のディジタル変調を施して得られた受信情報変調信号ＲＭＤをＤ／Ａ変換器２５に供給する。Ｄ／Ａ変換器２５は、受信情報変調信号ＲＭＤによる１ビットのデータ系列をアナログ信号に変換して得られた受信情報変調信号ＲＭを送信アンプ２６に供給する。送信アンプ２６は、受信情報変調信号ＲＭを増幅して得られた受信情報変調信号ＲＴＸを、ラインＬ１、コンデンサ２７及び伝送ケーブル３の信号ラインを介して第２受信処理部４に送信する。尚、伝送ケーブル３は、かかる受信情報変調信号ＲＴＸの伝送が為される信号ラインと、接地ラインと、を含む２芯のケーブルである。
【００２１】
コンデンサ２７の一端は伝送ケーブル３の信号ラインに接続されており、他端はラインＬ１を介して送信アンプ２６の出力端子及び受信アンプ２８の入力端子に接続されている。コンデンサ２７は、伝送ケーブル３の信号ライン上の直流成分がラインＬ１に流れ込むのを遮断する。
【００２２】
受信アンプ２８は、伝送ケーブル３及びコンデンサ２７を介して第２受信処理部４から送信されてきた操作データ変調信号を受け、これを増幅して得られた操作データ変調信号ＯＲをＡ／Ｄ変換器２９に供給する。Ａ／Ｄ変換器２９は、かかる操作データ変調信号ＯＲを２値のデータ系列からなる操作データ変調信号ＯＲＤに変換し、これを復調回路３０に供給する。復調回路３０は、操作データ変調信号ＯＲＤに対して、第２受信処理部４の変調回路４２（後述する）での変調処理に対応した復調処理を施すことにより操作データを復元し、これを操作データＯＱＤとして誤り訂正回路３１に供給する。誤り訂正回路３１は、操作データＯＱＤに対して誤り訂正処理を施すことにより、誤りビットの訂正された操作データＯＤを得てこれを高周波信号処理部２１及び復調・復号処理部２２に供給する。この際、高周波信号処理部２１及び復調・復号処理部２２は、操作データＯＤが受信動作開始命令を示す場合に前述した如き動作を開始する一方、操作データＯＤが受信動作終了命令を示す場合にはその動作を停止する。すなわち、第１受信処理部２は、電源投入後、受信動作開始命令を示す操作データＯＤを受信したときに、放送波の受信動作を開始し、その後、受信動作終了命令を示す操作データＯＤを受信したら、その受信動作を停止するのである。
【００２３】
電源電圧導出回路３２は、伝送ケーブル３の信号ライン上に重畳されている直流の電源電圧ＶＤＤを導出する。そして、電源電圧導出回路３２は、かかる電源電圧ＶＤＤを、高周波信号処理部２１、復調・復号処理部２２、誤り訂正符号化回路２３、変調回路２４、Ｄ／Ａ変換器２５、送信アンプ２６、受信アンプ２８、Ａ／Ｄ変換器２９、復調回路３０及び誤り訂正回路３１各々を動作させる電源として、夫々に供給する。
【００２４】
図３は、第２受信処理部４の内部構成の一例を示すブロック図である。
【００２５】
図３において、誤り訂正符号化回路４１は、選局情報、及び受信動作の開始又は終了命令を含む操作データに対して誤り訂正符号化を施して得られた操作データＯＣＤを変調回路４２に供給する。尚、操作データとは、使用者による受信希望放送局の選局操作、受信動作の開始又は終了命令操作に応じて、操作部（図示せぬ）が生成したデータである。
【００２６】
変調回路４２は、操作データＯＣＤに対して例えば放送波に施されている変調と同一のＯＦＤＭ変調、或いはＱＰＳＫ変調、又はＱＡＭ等のディジタル変調を施して得られた操作データ変調信号ＯＭＤをＤ／Ａ変換器４３に供給する。Ｄ／Ａ変換器４３は、操作データ変調信号ＯＭＤによる１ビットのデータ系列をアナログ信号に変換し、得られた操作データ変調信号ＯＭを送信アンプ４４に供給する。送信アンプ４４は、操作データ変調信号ＯＭを増幅して得られた操作データ変調信号ＯＴＸを、ラインＬ２、コンデンサ４５及び伝送ケーブル３の信号ラインを介して第１受信処理部２に送信する。
【００２７】
コンデンサ４５の一端は伝送ケーブル３の信号ラインに接続されており、他端はラインＬ２を介して送信アンプ４４の出力端子及び受信アンプ４６の入力端子に接続されている。コンデンサ４５は、伝送ケーブル３の信号ライン上の直流成分がラインＬ２に流れ込むのを遮断する。
【００２８】
受信アンプ４６は、伝送ケーブル３及びコンデンサ４５を介して第１受信処理部２から送信されてきた受信情報変調信号を受け、これを増幅して得られた受信情報変調信号ＲＲをＡ／Ｄ変換器４７に供給する。Ａ／Ｄ変換器４７は、かかる受信情報変調信号ＲＲを２値のデータ系列からなる受信情報データ変調信号ＲＲＤに変換し、これを復調回路４８に供給する。復調回路４８は、受信情報データ変調信号ＲＲＤに対して、第１受信処理部２の変調回路２４での変調処理に対応した復調処理を施すことによりＭＰＥＧデータとしての受信情報データＲＤＤを復元し、これを誤り訂正回路４９に供給する。誤り訂正回路４９は、受信情報データＲＤＤに対して誤り訂正処理を施すことにより、誤りビットの訂正された受信情報データＲＤを得てこれを受信データデコーダ５０に供給する。受信データデコーダ５０は、例えばＭＰＥＧデコーダであり、ＭＰＥＧデータとしての受信情報データＲＤに対してＭＰＥＧ復号処理を施すことにより、放送局側から送信されてきた情報データとしての映像及び音声データを得る。
【００２９】
電源電圧生成回路５１は、第２受信処理部４内の各モジュール、つまり、誤り訂正符号化回路４１、変調回路４２、Ｄ／Ａ変換器４３、送信アンプ４４、コンデンサ４５、受信アンプ４６、Ａ／Ｄ変換器４７、復調回路４８、誤り訂正回路４９及び受信データデコーダ５０各々を動作させる電源として直流の電源電圧ＶＤＤを生成し、夫々に供給する。更に、電源電圧生成回路５１は、かかる電源電圧ＶＤＤを伝送ケーブル３の信号ラインに印加することにより、電源電圧ＶＤＤを第１受信処理部２に供給する。
【００３０】
すなわち、伝送ケーブル３に含まれる単一の信号ラインに直流の電源電圧ＶＤＤが重畳された状態で、この信号ラインを介して、上記した受信情報変調信号ＲＴＸ及び操作データ変調信号ＯＴＸが第１受信処理部２及び第２受信処理部４間において双方向伝送されるのである。尚、伝送ケーブル３を介した第１受信処理部２及び第２受信処理部４間での双方向通信としては、送信及び受信動作を時間で区切って交互に実施するＴＤＤ（Time Division Duplex）通信、或いは周波数帯域を送信と受信とに分割して同時に送受信を行うＦＤＤ（Frequency Division Duplex）通信が採用される。
【００３１】
以下に、図１〜図３に示される車載用ダイバーシティ受信システムの動作について説明する。
【００３２】
先ず、使用者が操作部を用いて、受信動作の開始を促す操作、及び受信を希望する放送局の指定操作を行うと、第２受信処理部４が、その操作内容を示す操作データに対して誤り訂正符号化及び変調を施して得た操作データ変調信号ＯＴＸを、伝送ケーブル３を介して第１受信処理部２に送信する。
【００３３】
第１受信処理部２は、受信した操作データ変調信号に対して復調及び誤り訂正を施すことにより、使用者の操作内容を示す操作データＯＤを得る。この際、かかる操作データにて示される受信動作の開始命令に応じて、第１受信処理部２の高周波信号処理部２１及び復調・復号処理部２２が動作を開始する。すなわち、先ず、高周波信号処理部２１が、アンテナ１１〜１ｎ各々から高周波伝送用ケーブルを介して供給された高周波信号Ｒ１〜Ｒｎを、操作データに含まれる選局情報にて示される放送局の周波数帯域にダウンコンバートすることにより、中間周波帯域の受信信号ＩＦ１〜ＩＦｎを得る。次に、復調・復号処理部２２が、受信信号ＩＦ１〜ＩＦｎ各々に対して復調処理を施し夫々を合成（重み付け加算又は減算）して得た信号に復号処理を施すことにより、放送内容（映像及び音声）がＭＰＥＧデータ化されてなる受信情報データＲＸＤを取得する。そして、第１受信処理部２は、かかる受信情報データＲＸＤに対して誤り訂正符号化及び変調を施して得た受信情報変調信号ＲＴＸを、伝送ケーブル３を介して第２受信処理部４に送信する。
【００３４】
第２受信処理部４は、受信した受信情報変調信号に対して復調、誤り訂正、及びＭＰＥＧ復号を施すことにより、放送内容である映像及び音声データを取得する。
【００３５】
このように、図１〜図３に示す車載用ダイバーシティ受信システムでは、受信装置を、前段部の受信処理を担う第１受信処理部２と、後段部の受信処理を担う第２受信処理部４とに分割し、第１受信処理部２をアンテナ１１〜１ｎ近傍に設置すると共に第２受信処理部４を車両室内のセンターコンソールに設置するようにしている。更に、かかる車載用ダイバーシティ受信システムでは、第１受信処理部２及び第２受信処理部４間における信号（ＯＴＸ、ＲＴＸ）伝送を、伝送ケーブル３における単一の信号ラインを介して双方向で行いつつ、第１受信処理部２を動作させる為の直流の電源電圧（ＶＤＤ）をこの信号ラインに重畳させて第１受信処理部２側に供給するようにしている。
【００３６】
よって、かかる構成によれば、アンテナ１１〜１ｎ及び第１受信処理部２間を接続する高周波伝送用のケーブルの長さを短くすることが可能となるので、コスト低減が図られるようになる。更に、単一の信号ラインによって、第１受信処理部２及び第２受信処理部４間の信号伝送、並びに第２受信処理部４への給電が為されるので、伝送ケーブルの直径を小さくすることが可能となり車両室内のケーブル配線作業が容易となる。
【００３７】
更に、図２及び図３に示す構成では、第１受信処理部２が、２値の信号系列からなる矩形波のディジタルデータ信号である受信情報データＲＸＤに対してＯＦＤＭ変調、ＱＰＳＫ変調、ＱＡＭ等のディジタル変調（２４）を施して得た受信情報変調信号ＲＴＸを伝送ケーブル３を介して第２受信処理部４に有線伝送するようにしている。よって、かかる受信情報データＲＸＤを直接、伝送ケーブルを介して第２受信処理部に送信する場合に比して、伝送ケーブルから放出される放射ノイズの強度が抑制される。従って、この放射ノイズが第１受信処理部に混入することに起因する受信感度の低下を抑えることが可能となる。
【００３８】
尚、伝送ケーブル３から放出される放射ノイズの強度を更に低減させるべく、伝送ケーブル３上を伝送させる受信情報変調信号ＲＴＸの振幅を、伝送品質の低下を生じさせない程度に小さくするようにしても良い。
【００３９】
図４及び図５は、かかる点に鑑みて為された第１受信処理部２及び第２受信処理部４各々の内部構成の他の一例を示すブロック図である。この際、図４は、第１受信処理部２の内部構成を示すものであり、図２に示される構成に、分離回路３３及び振幅制御回路３４を新たに付加すると共に、送信アンプ２６に代えて可変利得型の送信アンプ２６ａを採用した点を除く他の構成は、図２に示されるものと同一である。また、図５は、第２受信処理部４の内部構成を示すものであり、図３に示される構成に、回線品質判定回路５２、振幅制御データ生成回路５３及び多重化回路５４を新たに付加した点を除く他の構成は、図３に示されるものと同一である。
【００４０】
図４に示される第１受信処理部２において、分離回路３３は、先ず、復調回路３０から供給された操作データＯＱＤを、受信操作内容を表す操作データＯＣＤと、受信情報変調信号ＲＴＸの振幅を低下又は増加させる量に対応した振幅制御値を示す振幅制御データＡＤとに分離する。そして、分離回路３３は、操作データＯＣＤを誤り訂正回路３１に供給すると共に、振幅制御データＡＤを振幅制御回路３４に供給する。誤り訂正回路３１は、操作データＯＣＤに対して誤り訂正処理を施すことにより、誤りビットの訂正された操作データＯＤを得てこれを高周波信号処理部２１及び復調・復号処理部２２に供給する。振幅制御回路３４は、振幅制御データＡＤにて示される振幅制御値にて示される分だけ増幅利得を増加又は低下させるべき利得制御信号Ｇを送信アンプ２６ａに供給する。送信アンプ２６ａは、Ｄ／Ａ変換器２５から供給された受信情報変調信号ＲＭを、利得制御信号Ｇにて示される分だけ現利得を増加又は低下させた増幅利得で増幅して得られた受信情報変調信号ＲＴＸを、ラインＬ１、コンデンサ２７及び伝送ケーブル３における信号ラインを介して第２受信処理部４に送信する。
【００４１】
一方、図５に示される第２受信処理部４において、回線品質判定回路５２は、誤り訂正回路４９による誤り訂正前の受信情報データＲＤＤと、誤り訂正後の受信情報データＲＤと、に基づいて回線品質の判定を行う。すなわち、回線品質判定回路５２は、先ず、これら受信情報データＲＤＤ及びＲＤに基づきビット誤り率、及び変調精度を示すＥＶＭ（Error Vector Magnitude）を算出する。ここで、ＥＶＭの値は第１受信処理部２に回り込む放射ノイズが大なるほど大きくなり、一方、ビット誤り率は、放射ノイズの量が所定量以下の場合には微小であり、放射ノイズの量が所定量より大なる場合に急激に増大する。回線品質判定回路５２は、その誤り率が所定値より大なる場合には回線品質が「良好」であると判定する一方、この誤り率が所定値より小である場合には回線品質が「不良」であると判定する。この際、回線品質が「不良」であると判定した場合、回線品質判定回路５２は、その時点で得られたＥＶＭの値が大なるほど高い「不良度」を示す品質判定結果信号ＱＲを振幅制御データ生成回路５３に供給する。一方、回線品質が「良好」であると判定した場合、回線品質判定回路５２は、その時点で得られたＥＶＭの値が小なるほど高い「良度」を示す品質判定結果信号ＱＲを振幅制御データ生成回路５３に供給する。振幅制御データ生成回路５３は、品質判定結果信号ＱＲが「不良度」を示す場合にはその度合いに対応した分だけ振幅を増加させるべき振幅制御値を示す振幅制御データＡＤを多重化回路５４に供給する。また、品質判定結果信号ＱＲが「良度」を示す場合には、振幅制御データ生成回路５３は、その度合いに対応した分だけ振幅を低下させるべき振幅制御値を示す振幅制御データＡＤを多重化回路５４に供給する。多重化回路５４は、誤り訂正符号化回路４１から供給された操作データＯＣＤに、上記した振幅制御データＡＤを多重化したものを多重化操作データＯＡＱとして変調回路４２に供給する。変調回路４２は、かかる多重化操作データＯＡＱに対して例えばＯＦＤＭ変調、ＱＰＳＫ変調、又はＱＡＭ等のディジタル変調を施して得られた操作データ変調信号ＯＭＤをＤ／Ａ変換器４３に供給する。
【００４２】
このように、図４及び図５に示す如き構成では、第２受信処理部４において、先ず、伝送ケーブル３を介して第１受信処理部２から送信されてきた受信情報変調信号（ＲＴＸ、ＲＲ）に対して回線品質（ＥＶＭ、ビット誤り率）の判定を行う。ここで、回線品質が「良好」であると判定された場合には、第２受信処理部４は、受信情報変調信号の振幅を低下させるべき振幅制御データ（ＡＤ）を、受信装置の操作（選局、受信開始／終了）を指示する為の操作データ（ＯＣＤ）と多重化して変調した変調信号を、伝送ケーブル３を介して第１受信処理部２側に送信する。一方、回線品質が「不良」であると判定された場合には、第２受信処理部４は、受信情報変調信号の振幅を増加させるべき振幅制御データ（ＡＤ）を、受信装置の操作（選局、受信開始／終了）を指示する為の操作データ（ＯＣＤ）と多重化して変調した変調信号を、伝送ケーブル３を介して第１受信処理部２側に送信する。ここで、かかる変調信号を受信すると、第１受信処理部２は、この変調信号に対して復調処理を施して得られたデータ系列（ＯＱＤ）から振幅制御データ（ＡＤ）を分離して取り出す。この際、振幅制御データ（ＡＤ）が受信情報変調信号の振幅低下を促すものである場合、第１受信処理部２は、送信アンプ２６ａの現利得を低下させることにより、伝送ケーブル３上に送出する受信情報変調信号の振幅を低下させる。一方、振幅制御データ（ＡＤ）が受信情報変調信号の振幅増加を促すものである場合、第１受信処理部２は、送信アンプ２６ａの現利得を増加させることにより、伝送ケーブル３上に送出する受信情報変調信号の振幅を増加させる。
【００４３】
すなわち、かかる振幅調整によって、伝送ケーブル３を介して伝送させる受信情報変調信号（ＲＴＸ、ＲＲ）の振幅を、第２受信処理部４に到達後の回線品質が「不良」であると判定されるまで低下させるべき電力制御を行うのである。
【００４４】
よって、かかる電力制御によれば、回線品質を大幅に低下させることなく、受信情報変調信号ＲＴＸの振幅を抑えることによる放射ノイズの低減を図ることが可能となる。
【００４５】
尚、第１受信処理部２の復調回路３０及び第２受信処理部４の復調回路４８の各々では、受信した信号（ＯＲＤ、ＲＲＤ）に同期したタイミングで復調処理を施す必要がある。
【００４６】
図６及び図７は、かかる同期処理をも考慮して為された第１受信処理部２及び第２受信処理部４各々の内部構成の他の一例を示すブロック図である。この際、図６は、第１受信処理部２の内部構成を示すものであり、図２に示される構成に、分離回路３３ａ、同期検出回路３５及び位相制御回路３６を新たに付加すると共に、変調回路２４及び復調回路３０に代えて変調回路２４ａ及び復調回路３０ａを採用した点を除く他の構成は図２に示されるものと同一である。また、図７は、第２受信処理部４の内部構成を示すものであり、図３に示される構成に、多重化回路５４ａを新たに付加した点を除く他の構成は、図３に示されるものと同一である。
【００４７】
図６に示される第１受信処理部２において、同期検出回路３５は、Ａ／Ｄ変換器２９から供給された操作データ変調信号ＯＲＤにおけるピーク値を検出し、このピーク値の検出時点に同期した同期検出信号ＳＹを復調回路３０ａ及び位相制御回路３６に供給する。復調回路３０ａは、操作データ変調信号ＯＲＤに対して、同期検出信号ＳＹに応じた開始タイミングで復調処理を施すことにより操作データを復元し、これを操作データＯＱＤとして分離回路３３ａに供給する。分離回路３３ａは、復調回路３０ａから供給された操作データＯＱＤを、受信操作内容を表す操作データＯＣＤと、所定の位相オフセット量を示す位相オフセットデータＦＤとに分離する。そして、分離回路３３ａは、操作データＯＣＤを誤り訂正回路３１に供給すると共に、位相オフセットデータＦＤを位相制御回路３６に供給する。誤り訂正回路３１は、操作データＯＣＤに対して誤り訂正処理を施すことにより、誤りビットの訂正された操作データＯＤを得てこれを高周波信号処理部２１及び復調・復号処理部２２に供給する。位相制御回路３６は、上記同期検出信号ＳＹの位相を、位相オフセットデータＦＤにて示される位相オフセット分だけずらした位相制御信号ＦＣを生成しこれを変調回路２４ａに供給する。変調回路２４ａは、誤り訂正符号化回路２３から供給された受信情報データＲＣＤに対して、位相制御信号ＦＣに応じた開始タイミングで、ＯＦＤＭ変調、ＱＰＳＫ変調、ＱＡＭ等のディジタル変調を施して得られた受信情報変調信号ＲＭＤをＤ／Ａ変換器２５に供給する。
【００４８】
一方、図７に示される第２受信処理部４において、多重化回路５４ａは、誤り訂正符号化回路４１から供給された操作データＯＣＤに、使用環境に対応して設定された位相オフセットデータを多重化したものを多重化操作データＯＡＱとして変調回路４２に供給する。
【００４９】
上記した構成により、図６及び図７に示される受信装置（２〜４）では、第１受信処理部２が、第２受信処理部４側から送信されてきた操作データ変調信号ＯＲＤに同期したタイミングで、受信情報データＲＣＤに対して変調を施して得た受信情報変調信号（ＲＭＤ、ＲＭ、ＲＴＸ）を第２受信処理部４に送信するようにしている。この際、第２受信処理部４の復調回路４８では、受信した受信情報変調信号（ＲＲＤ）に対して所定の固定タイミングで復調処理を施す。すなわち、本来、第２受信処理部４側にも、復調回路４８での復調処理のタイミングを決定する為の同期検出回路が必要となる。しかしながら、図１に示す車載用ダイバーシティ受信システムでは、伝送対象となる機器が第１受信処理部２及び第２受信処理部４に限定されており、伝送ケーブル３のケーブル長も固定となるので、伝送遅延時間が既知となる。これにより、第２受信処理部４の復調回路４８では復調処理のタイミングを固定化することが可能となり、且つ同期検出用のヘッダを受信情報変調信号に付加する必要がなくなる。
【００５０】
よって、第２受信処理部４内に同期検出回路が不要となるので、低消費電力化及び低コスト化を図ることが可能となり、また、同期検出用のヘッダを付加する必要がなくなることから、伝送容量の増加を図ることが可能となる。また、伝送容量が増える分だけ受信情報変調信号における誤り訂正用の冗長度を増やすことでノイズ耐性を高めることも可能となる。
【００５１】
尚、図６及び図７に示す構成ではアンテナ近傍に設置された第１受信処理部２側に、同期検出回路３５及び位相制御回路３６を設けるようにしているが、同期検出回路及び位相制御回路を第２受信処理部４側だけに設けるようにしても良い。すなわち、第２受信処理部４側に設けた同期検出回路により、Ａ／Ｄ変換器４７から供給された受信情報データ変調信号ＲＲＤから同期検出を行って同期検出信号ＳＹを得る。そして、第２受信処理部４側に設けた位相制御回路にて、かかる同期検出信号ＳＹに応じた位相制御信号を生成し、この位相制御信号によって変調回路４２の変調タイミングを制御するのである。
【００５２】
尚、図６及び図７に示す構成において、第１受信処理部２及び第２受信処理部４間での双方向通信としてＦＤＤ方式を採用し、且つ変調回路２４ａ及び４２各々での変調方式としてＯＦＤＭ変調を採用する場合には、変調回路２４ａ及び４２は互いのサブキャリア信号の配列が直交するようにＯＦＤＭ変調を実行するのが好ましい。すなわち、伝送ケーブル３における単一の信号ライン上で同時伝送される受信情報変調信号ＲＴＸ及び操作データ変調信号ＯＴＸ同士の干渉を最小となる配列にするのである。例えば、図６に示す同期検出回路３５において、第２受信処理部４から送信されてきた、図８（ａ）に示す如き操作データ変調信号ＯＴＸ（ＯＲＤ）中のガードインターバル区間ＧＩをＦＦＴ（Fast Fourier Transform）窓で検出し、これに同期した同期検出信号ＳＹを生成するようにする。これにより、図８（ｂ）に示す如く、操作データ変調信号ＯＴＸにおける受信有効ＯＦＤＭシンボルのタイミングに、受信情報変調信号ＲＴＸにおける送信有効ＯＦＤＭシンボルのタイミングを同期させる。この際、図８（ｂ）に示す如く、送信側及び受信側各々の有効ＯＦＤＭシンボル同士による時間位置の差がガードインターバル区間ＧＩ内に収まれば、これをＦＦＴにてサブキャリア信号に変換した際に両者の直交性が維持され、良好な受信が可能となる。
【００５３】
また、変調回路２４ａ及び４２の変調方式としてＯＦＤＭ変調を採用する場合には、放射ノイズの生じる可能性が高いサブキャリアの電力を強制的に下げる制御を実施することにより、放射ノイズの強度を下げるようにしても良い。
【００５４】
図９及び図１０は、かかる点に鑑みて為された第１受信処理部２及び第２受信処理部４各々の内部構成の他の一例を示すブロック図である。この際、図９は、第１受信処理部２の内部構成を示すものであり、図２に示される構成に、分離回路３３ｂ、サブキャリアアッテネータ３７（以下、ＳＣＡＴＴ３７と略する）、サブキャリア制御回路３８を新たに付加すると共に、変調回路２４及び送信アンプ２６に代えて変調回路２４ｂ及び送信アンプ２６ｂを採用した点を除く他の構成は図２に示されるものと同一である。また、図１０は、第２受信処理部４の内部構成を示すものであり、図３に示される構成に、回線品質判定回路５２ａ、サブキャリア制御データ生成回路５３ｂ及び多重化回路５４ｂを新たに付加した点を除く他の構成は、図３に示されるものと同一である。
【００５５】
図９に示される第１受信処理部２において、分離回路３３ｂは、復調回路３０から供給された操作データＯＱＤを、受信操作内容を表す操作データＯＣＤと、サブキャリア制御データＳＣＣ（後述する）とに分離する。そして、分離回路３３ｂは、操作データＯＣＤを誤り訂正回路３１に供給すると共に、サブキャリア制御データＳＣＣをサブキャリア制御回路３８に供給する。サブキャリア制御回路３８は、サブキャリア制御データＳＣＣにサブキャリアマスク情報（後述する）が含まれている場合には受信情報データＲＣＤのレベルを強制的に０レベルに調整すべき０レベル設定信号ＡＴを生成し、これをＳＣＡＴＴ３７に供給する。この際、ＳＣＡＴＴ３７は、０レベル設定信号ＡＴに応じて、受信情報データＲＣＤのレベルを強制的に０レベルに調整したものを受信情報データＲＡＤとして変調回路２４ｂに供給する一方、かかる０レベル設定信号ＡＴが供給されていないときには、受信情報データＲＣＤをそのまま受信情報データＲＡＤとして変調回路２４ｂに供給する。また、サブキャリア制御回路３８は、サブキャリア制御データＳＣＣに変調方式変更情報（後述する）が含まれているときには変調方式を変更させるべき変調方式変更情報ＳＭを変調回路２４ｂに供給する。変調回路２４ｂは、変調方式変更情報ＳＭが供給されていないときには、受信情報データＲＡＤに対してＯＦＤＭ変調を施して得られた受信情報変調信号ＲＭＤをＤ／Ａ変換器２５に供給する。一方、変調方式変更情報ＳＭが供給された場合には、変調回路２４ｂは、受信情報データＲＡＤに対して施すべき変調を他の変調方式、例えばＱＰＳＫ変調に変更し、受信情報データＲＡＤにＱＰＳＫ変調を施して得られた受信情報変調信号ＲＭＤをＤ／Ａ変換器２５に供給する。この際、Ｄ／Ａ変換器２５は、受信情報変調信号ＲＭＤによる１ビットのデータ系列をアナログ信号に変換して得られた受信情報変調信号ＲＭを送信アンプ２６ｂに供給する。ここで、サブキャリア制御回路３８は、サブキャリア制御データＳＣＣに振幅低下サブキャリア情報（後述する）が含まれている場合には、その振幅低下サブキャリア情報によって示される利得に設定させる利得制御信号Ｇを、可変利得型の送信アンプ２６ｂに供給する。送信アンプ２６ｂは、かかる利得制御信号Ｇにて示される利得で受信情報変調信号ＲＭを増幅して得られたＲＴＸを、ラインＬ１、コンデンサ２７及び伝送ケーブル３における信号ラインを介して第２受信処理部４に送信する。
【００５６】
一方、図１０に示される第２受信処理部４において、回線品質判定回路５２ａは、誤り訂正回路４９による誤り訂正前の受信情報データＲＤＤと、誤り訂正後の受信情報データＲＤと、に基づきサブキャリア毎に回線品質の判定を行う。すなわち、回線品質判定回路５２ａは、先ず、これら受信情報データＲＤＤ及びＲＤに基づき、受信した受信情報変調信号ＲＲにおけるサブキャリア毎に、上述した如き誤り率、及びＥＶＭを算出する。次に、回線品質判定回路５２ａは、サブキャリア毎に、その誤り率が所定値より大なる場合には回線品質が「良好」であると判定する一方、この誤り率が所定値より小である場合には回線品質が「不良」であると判定する。この際、回線品質が「不良」であると判定した場合、回線品質判定回路５２ａは、そのサブキャリアに対応したＥＶＭの値が大なるほど高い「不良度」を示す品質判定結果信号ＳＲをサブキャリア制御データ生成回路５３ｂに供給する。一方、回線品質が「良好」であると判定した場合、回線品質判定回路５２ａは、そのサブキャリアに対応したＥＶＭの値が小なるほど高い「良度」を示す品質判定結果信号ＳＲをサブキャリア制御データ生成回路５３ｂに供給する。
【００５７】
サブキャリア制御データ生成回路５３ｂは、先ず、例えば図１１（ａ）に示す如き受信情報変調信号ＲＲにおけるサブキャリアＳＣ１〜ＳＣ８の内で有効となるサブキャリアＳＣ１〜ＳＣ６の各々毎に、以下の如く、サブキャリアマスク情報、変調方式変更情報、及び振幅低下サブキャリア情報を生成する。先ず、有効サブキャリアＳＣ１〜ＳＣ６の内で最低限必要なサブキャリアの数が４つである場合、サブキャリア制御データ生成回路５３ｂは、サブキャリアＳＣ１〜ＳＣ６の内から、第１及び第２番目に回線品質が低いもの、つまりＥＶＭの値が高いサブキャリアＳＣを２つ選出し、これらに対応させてサブキャリアマスク情報を生成する。この際、サブキャリア制御データ生成回路５３ｂは、上記したサブキャリアマスク情報の対象となる２つのサブキャリアＳＣを除く他のサブキャリアＳＣの回線品質が「不良」を示す場合には、その変調方式をＯＦＤＭ変調から他の変調、例えばＱＰＳＫ変調に変更させるべき変調方式変更情報を生成する。また、サブキャリア制御データ生成回路５３ｂは、回線品質が「良好」を示すサブキャリアＳＣの帯域に対しては、送信アンプ２６ｂでの増幅利得を低下させるべき振幅低下サブキャリア情報を生成する。そして、サブキャリア制御データ生成回路５３ｂは、上記したサブキャリアマスク情報、変調方式変更情報、及び振幅低下サブキャリア情報を含むサブキャリア制御データＳＣＣを生成し、これを多重化回路５４ｂに供給する。多重化回路５４ｂは、誤り訂正符号化回路４１から供給された操作データＯＣＤに、上記したサブキャリア制御データＳＣＣを多重化したものを多重化操作データＯＡＱとして変調回路４２に供給する。
【００５８】
このように、図９及び図１０に示す構成では、先ず、第２受信処理部４の回線品質判定回路５２ａが、第１受信処理部２側から送信されてきたＯＦＤＭ変調の施された受信情報変調信号に対して、各サブキャリア毎にその回線品質（ＥＶＭ、ビット誤り率）を判定する。次に、第２受信処理部４のサブキャリア制御データ生成回路５３ｂが、第１及び第２番目に回線品質が低いサブキャリアをマスク対象として指定するサブキャリアマスク情報、回線品質が不良であると判定されたサブキャリアが多い場合に変調方式を他の変調方式に変更させることを指示する変調方式変更情報、及び回線品質が良好と判定されたサブキャリアの振幅を低下させる振幅低下サブキャリア情報を生成する。そして、サブキャリア制御データ生成回路５３ｂは、これらサブキャリアマスク情報、変調方式変更情報、及び振幅低下サブキャリア情報を含むサブキャリア制御データＳＣＣを生成する。第２受信処理部４は、かかるサブキャリア制御データＳＣＣを、受信装置に対する操作内容を示す操作データと多重化して第１受信処理部２に送信する。
【００５９】
この際、第１受信処理部２は、受信したサブキャリア制御データＳＣＣに基づき、ＳＣＡＴＴ３７、変調回路２４ａ及び送信アンプ２６ｂを制御する。すなわち、ＳＣＡＴＴ３７は、図１１（ａ）に示す如き有効サブキャリアＳＣ１〜ＳＣ６の内で、サブキャリアマスク情報にて示される第１及び第２番目に回線品質が低いサブキャリアＳＣの帯域をマスク対象とし、そのマスク対象帯域でのレベルを強制的に０レベルにすべきレベル調整を、受信情報データＲＣＤに施す。変調回路２４ａは、変調方式をＯＦＤＭ変調からＱＰＳＫ変調に変更させることを指示する変調方式変更情報がサブキャリア制御データＳＣＣに含まれていない場合には受信情報データＲＡＤに対してＯＦＤＭ変調を施す一方、この変調方式変更情報が含まれている場合には受信情報データＲＡＤに対してＱＰＳＫ変調を施す。送信アンプ２６ｂは、振幅低下サブキャリア情報によって示される、回線品質が良好なサブキャリアの振幅を低下させるべき利得で、受信情報変調信号ＲＭを増幅する。
【００６０】
上記した動作により、例えば図１１（ｂ）に示す如く有効サブキャリアＳＣ１〜ＳＣ６の内で、ＳＣ３及びＳＣ４に対応した帯域で強度が大となる放射ノイズＮＺが混入している場合、サブキャリアＳＣ３及びＳＣ４がマスク対象としてサブキャリアマスク情報に設定される。よって、かかるサブキャリアマスク情報に応じて、ＳＣＡＴＴ３７は、受信情報データＲＣＤ系列中において、サブキャリアＳＣ３及びＳＣ４各々に対応した帯域のレベルを０レベルに調整する。これにより、図１１（ｃ）に示すように、受信情報変調信号ＲＭ中において、有効サブキャリアＳＣ１〜ＳＣ６の内のＳＣ３及びＳＣ４に対応した電力が夫々０レベルとなる。更に、放射ノイズＮＺの強度が低下している帯域、つまり図１１（ｃ）に示す如き、サブキャリアＳＣ１、ＳＣ２、ＳＣ５及びＳＣ６の各々では回線品質が良好と判定されるので、これらＳＣ１、ＳＣ２、ＳＣ５及びＳＣ６各々の帯域で振幅を低下させるべき振幅低下サブキャリア情報が生成される。よって、かかる振幅低下サブキャリア情報に応じて、送信アンプ２６ｂは、サブキャリアＳＣ１、ＳＣ２、ＳＣ５及びＳＣ６各々の帯域でその振幅を低下させるべき利得で、受信情報変調信号ＲＭを増幅する。これにより、図１１（ｃ）に示す如く、サブキャリアＳＣ１、ＳＣ２、ＳＣ５及びＳＣ６各々に対応した電力が、その回線品質の良度分だけ大幅に低下する。
【００６１】
要するに、図９及び図１０に示す構成では、第１受信処理部２及び第２受信処理部４間の通信をＯＦＤＭ変調を用いて実施するにあたり、先ず、第２受信処理部４側で各サブキャリア毎に回線品質を判定し、その回線品質判定結果（ＳＲ、ＳＣＣ）を伝送ケーブル３を介して第１受信処理部２に送信する。そして、第１受信処理部２側で、その回線品質が最も低いサブキャリアに対応した信号レベルを０レベルにすると共に、回線品質が良好なサブキャリアに対応した信号の振幅を低下させるという電力制御を施しつつ、アンテナ１１〜１ｎで受信して得られた受信情報変調信号を伝送ケーブル３を介して第２受信処理部４に送信するのである。
【００６２】
これにより、伝送ケーブル３からの放射ノイズの影響を大きく受けたサブキャリアの排除が為されると共に、回線品質の大幅な低下を抑えつつ、伝送ケーブル３上に伝送される受信情報変調信号の電力を低く抑えるようにしているので、伝送ケーブル３から放射される放射ノイズの強度が低下するようになる。従って、放射ノイズを抑え込んだ良好な通信が為されるようになる。
【００６３】
尚、図９及び図１０に示す実施例では、第１受信処理部２側で、ＳＣＡＴＴ３７、サブキャリア制御回路３８、及び送信アンプ２６ｂを用いた送信電力制御を実施するようにしているが、かかる構成を第２受信処理部４に搭載するようにしても良い。
【００６４】
また、図２に示される第１受信処理部２の変調回路２４、及び図３に示される第２受信処理部４の変調回路４２各々で用いられるクロック発振器（図示せぬ）には、例えば環境温度の違いに起因する周波数誤差が生じている場合がある。
【００６５】
そこで、このような周波数誤差分を補正して良好な回線品質を得るべく、図２に代えて図１２に示す如き内部構成を有する第１受信処理部２を採用しても良い。尚、図１２に示される第１受信処理部２においては、図２の構成に、周波数制御回路３９、混合回路４０ａ及び４０ｂを新たに付加した点を除く他の構成は図２に示されるものと同一である。この際、第２受信処理部４としては図３に示されるものを採用する。
【００６６】
図１２において、周波数制御回路３９は、混合回路４０ｂから供給された操作データ変調信号ＯＰＤと、所定の基準周波数との周波数差を検出し、その周波数差に対応した周波数誤差信号ＦＧを周波数混合回路４０ａ及び４０ｂに夫々供給する。周波数混合回路４０ａは、変調回路２４から供給された受信情報変調信号ＲＭＤに、周波数誤差信号ＦＧを複素乗算することにより周波数補正の施された受信情報変調信号ＲＡＤを生成し、これをＤ／Ａ変換器２５に供給する。Ｄ／Ａ変換器２５は、この受信情報変調信号ＲＡＤによる１ビットのデータ系列をアナログ信号に変換して得られた受信情報変調信号ＲＭを送信アンプ２６に供給する。周波数混合回路４０ｂは、Ａ／Ｄ変換器２９から供給された操作データ変調信号ＯＲＤに、上記周波数誤差信号ＦＧを複素乗算することにより周波数補正の施された操作データ変調信号ＯＰＤを生成し、これを復調回路３０に供給する。復調回路３０は、かかる操作データ変調信号ＯＰＤに対して復調処理を施して得られた操作データＯＱＤを誤り訂正回路３１に供給する。
【００６７】
このように、図１２に示す構成では、第１受信処理部２側において、変調後の受信情報変調信号ＲＭＤと基準周波数との周波数誤差（ＦＧ）を検出し、受信情報変調信号ＲＭＤに対してこの周波数誤差（ＦＧ）分を補正（４０ａ）したものを、受信情報変調信号ＲＴＸとして、第２受信処理部４側に送信するようにしている。かかる構成によれば、第２受信処理部４側での周波数誤差補正処理が不要となるので、回路規模を小さくし、且つ低消費電力化を図ることが可能となる。
【００６８】
尚、図１２に示す構成では、上記した如き周波数誤差補正を担う回路（３９、４０）を第１受信処理部２側に設けたが、これを第２受信処理部４側だけに設けるようにしても良い。
【００６９】
以上の如く、本発明においては、受信装置を、前段部の受信処理を担う第１受信処理部（２）と、後段部の受信処理を担う第２受信処理部（４）とに分割し、両者の間の通信を伝送ケーブル（３）を介して実施するようにしている。この際、第１受信処理部は、複数のアンテナ（１１〜１ｎ）で受信して得られた複数の受信信号（ＩＦ１〜ＩＦｎ）の各々に復調処理を施して夫々を合成して得られた信号を復号することにより受信情報データ（ＲＸＤ）を得る復調復号手段（２２）と、この受信情報データに対して所定変調を施して得た受信情報変調信号を伝送ケーブルに送出する第１送信手段（２３〜２６）と、を含む。また、第２受信処理部は、伝送ケーブルを介して受信した受信情報変調信号に対して上記所定変調に対応した復調処理を施すことにより受信情報データを得る第１受信手段（４６〜４９）と、当該受信情報データを復号することにより前記情報データを得るデータデコーダ（５０）と、を含む。
【００７０】
このように、受信装置を前段部の受信処理を担う第１受信処理部と、後段部の受信処理を担う第２受信処理部とに分割することにより、高周波伝送用のアンテナケーブルのケーブル長を短縮化してコスト低減を図る。更に、上記した構成により、第１受信処理部及び第２受信処理部間を接続する伝送ケーブルから放出される放射ノイズの強度を低減させることができるので、かかる放射ノイズが第１受信処理部に混入することに起因する受信感度の低下を抑えることが可能となる。
【００７１】
尚、上記実施例では、第１受信処理部２及び第２受信処理部４を夫々単一の半導体チップに形成するようにしているが、第１受信処理部２及び第２受信処理部４を夫々３個以上の複数の半導体チップに分割して形成させるようにしても良い。例えば、上記実施例では、第１受信処理部２を単一の第１半導体チップに形成するようにしているが、この第１受信処理部２に含まれる復調復号手段（２２）と、第１送信手段（２３〜２６）とを、夫々別の半導体チップに形成するようにしても良い。要するに、例えば第１受信処理部２を、高周波信号処理部２１及び復調・復号処理部２２が形成されている半導体チップと、その他のモジュール（２３〜３２）が形成されている半導体チップとに分割して形成するのである。
【符号の説明】
【００７２】
１１〜１ｎ      アンテナ
２            第１受信処理部
３            伝送ケーブル
４            第２受信処理部
２２          復調・復号回路
２４、４２    変調回路
３０、４８    復調回路
３２          電源電圧導出回路
５０          受信データデコーダ
５１          電源電圧生成回路
【図１】
2014131167.tif 000003
【図２】
2014131167.tif 000004
【図３】
2014131167.tif 000005
【図４】
2014131167.tif 000006
【図５】
2014131167.tif 000007
【図６】
2014131167.tif 000008
【図７】
2014131167.tif 000009
【図８】
2014131167.tif 000010
【図９】
2014131167.tif 000011
【図１０】
2014131167.tif 000012
【図１１】
2014131167.tif 000013
【図１２】
2014131167.tif 000014